【事件の表示】
　平成　６年特許願第１４２９９７号「スチルビデオカメラの表示装置」拒絶査定に対する審判事件［平成　８年　１月１２日出願公開、特開平　８−　　９２０２］について、次のとおり審決する。
【結　論】
　本件審判の請求は、成り立たない。
【理　由】
第１　本願発明
　本願は、平成６年６月２４日の出願であって、その発明は、補正された明細書及び図面の記載からみて、その特許請求の範囲（請求項の数６）に記載された「スチルビデオカメラの表示装置」にあるところ、その請求項１に記載された発明（以下「本願発明」という。）は、次に掲げるとおりのものである。
　
「一つの記憶媒体へ被写体の画像データの書き込みを行なうスチルビデオカメラの表示装置において、
　撮影の進行状態をカウント表示する表示手段と、
　上記一つの記録媒体へのデータ書き込み中であることを表す表示を行なう書き込み表示手段と、
　上記一つの記録媒体へのデータ書き込み終了時にカウント表示を歩進させるよう該表示手段を制御する表示制御手段、
を有することを特徴とするスチルビデオカメラの表示装置」
　
第２　刊行物発明
　１　刊行物１の発明
　　原審の拒絶理由に引用された刊行物である、本願の出願の日前の昭和６３年１１月２２日に頒布された特開昭６３−２８４９８８号公報（以下「刊行物１」という。）には、「ディジタル電子カメラ」に関して、次に掲げる(1)ないし(6)の事項からなる発明（以下「刊行物１の発明」という。）が記載されている。
　
　 (1)　従来の技術では、メモリカードを使用したディジタル電子カメラにおけるメモリカードの撮影済枚数または撮影可能枚数を知ることができないとい問題があった。
　本発明はメモリカード毎の撮影済枚数または撮影可能枚数を容易に知ることができるディジタル電子カメラを提供することを目的とする。（２頁右上欄10行ないし16行）
　 (2)　第１図は本発明の一実施例に係るディジタル電子カメラの既略的構成を示すブロック図である。同図において、電子カメラ本体１に取り付けられたシャッタボタン２からのシャッタ信号（撮影指令）はコントロール系３に供給される。コントロール系３はシャッタ信号が供給されると、レンズ４を介して被写体像が結像されている撮像系５を制御する。撮像系５は例えばＣＣＤのような固体撮像素子を用いて構成される。
　撮像系５で得られた画像信号は記録信号処理系６に入力され、内蔵のＡ／Ｄ変換器によりディジタル静止画信号とされた後、メモリカード７の所定のメモリ領域に記憶される。（２頁右下欄10行ないし３頁左上欄２行）
　 (3)　判定回路１１はメモリカード７の判定アドレスから読出された内容が記憶済表示データか否かを判定するものであり、その判定結果はカウンタ１２に入力され、カウンタ１２のカウント結果は表示部１３で表示される。（３頁左上欄14行ないし18行）
　 (4)　第２図はメモリカード７にディジタル画像信号および記憶済表示データを書込むための構成および動作を示すものであり、記録信号処理系６はＡ／Ｄ変換器２１およびディジタル静止画信号と記憶済表示データを切替えてデータラインへ出力するための切替スイッチ２２とからなる。すなわち、切替スイッチ２２はディジタル静止画信号の書込み終了パルスが与えられると切替わり、記憶済表示データを選択する。（３頁左上欄19行ないし同頁右上欄７行）
　 (5)　第４図は記憶済表示データに８ビット用い、その８ビットを全て同じ論理レベル、例えば“Ｈ”にしたときの判定回路１１の構成を示している。記憶済表示デーを構成する８ビットデータのＬＳＢからＭＳＢまでの全てが“Ｈ”になると、ＡＮＤ回路３１の出力が“Ｈ”となり、次段のＡＮＤ回路３２からテストパルスが出力される。このパルスがカウンタ１２でカウントされ、表示部１３で表示される。（３頁右下欄16行ないし４頁左上欄４行）
　 (6)　ディジタル静止画像信号がメモリカード７に書込まれた直後に、書込み終了パルスにより切替スイッチ２２が記憶済表示データ側に切替わるのは第２図の場合と同様である。（４頁右上欄10行ないし14行）
　
　２　刊行物２に記載の事項
　　同じく、原審の拒絶理由に引用された刊行物である、本願の出願の日前の平成４年６月１９日に頒布された特開平４−１７２５８７号公報（以下「刊行物２」という。）には、「ＩＣメモリカード」に関して、次に掲げる(1)(2)の事項が記載されている。
　
　 (1)　ＩＣメモリカードが動作中であることが人間の目で確認できるＩＣメモリカード（１頁右下欄16行ないし18行）
　 (2)　第１図において、メモリＩＣ(1)に記憶されているデータを読み出す場合、読み出したいデータのアドレスをアドレス端子(5)により指定し、カードイネーブル端子(6)をアクティブ状態“Ｌ”にすると、読み出したいデータが、データ端子(4)より出力され、同時に発光ダイオード(7)に電流が流れ点灯する。書込み動作の場合も同様にカードイネーブル端子(6)がアクティブ状態になる事で動作中の表示を発光ダイオード(7)によって行う。（２頁左上欄17行ないし同頁右上欄６行）
　
第３　刊行物発明と本願発明との対比
　１　刊行物１の発明における事項と本願発明における事項との対比
　　刊行物１の発明は「ディジタル電子カメラ」に係るもので、このカメラは、静止画像（スチルビデオ）の撮影済枚数または撮影可能枚数を容易に知ることができる表示部１３を備えており、この表示部１３は、ディジタル電子カメラの表示部であるから、本願発明に係る「スチルビデオカメラの表示装置」に相当する。
　　したがって、刊行物１の発明における事項と本願発明における事項とを対比すると、次に掲げる(1)(2)の事項が相当し、(3)の事項が一応対応する。
　 (1)　刊行物１の発明における「メモリカード７」には、シャッタボタン２が操作されるとレンズ４を介して被写体像が記憶されるから、本願発明における「一つの記憶媒体」に相当する。
　 (2)　刊行物１の発明における「表示部１３」は、メモリカード７に記憶された撮影済枚数または撮影可能枚数を表示する、すなわち、撮影が何枚行われたか、また、撮影があと何枚行えるかの（当初のメモリカード７の）撮影の状態を枚数で（カウント）表示する。
　　　　また、シャッタボタン２が操作されるとコントロール系３は、被写体像をメモリカード７に書込ませ、その後、記憶済表示データをメモリカード７に書込ませることからみて、コントロール系３が、シャッタボタン２が操作されてから枚数を更新するか、静止画信号又は記憶済表示データが書込まれてから更新するかは別として、「表示部１３」は、ディジタル電子カメラの撮影済枚数または撮影可能枚数を表示するものであるから、当然に更新された枚数を（カウント）表示する、すなわち、撮影の進行状態をカウント表示するといえる。
　　　　したがって、刊行物１の発明における「表示部１３」は、本願発明における「撮影の進行状態をカウント表示する表示手段」に相当する。
　 (3)　刊行物１の発明における「コントロール系３」は、メモリカード７に判定アドレスを指定することで、メモリカード７から読出される記憶済表示データを判定回路１１が判定して、表示部１３に（当初のメモリカード７の）カウント結果を表示させ、また、シャッタボタン２が操作されると被写体像をメモリカード７に書込ませた直後に、書込み終了パルスによって、記憶済表示データをメモリカード７に書込ませる制御をする、すなわち、上記(2)で検討したように、メモリカード７に記憶された撮影済枚数または撮影可能枚数を更新するから、その更新を、本願発明のように、書き込み終了時であるかどうかは別として、本願発明におけるカウント表示する表示手段を制御する「表示制御手段」に一応対応する。
　
　２　刊行物１の発明と本願発明との一致点と相違点
　　上記１の対比から、刊行物１の発明と本願発明とは、次に掲げる(1)の点で一致し、(2)の点で相違する。
　 (1)　一致点
「一つの記憶媒体へ被写体の画像データの書き込みを行なうスチルビデオカメラの表示装置において、
　撮影の進行状態をカウント表示する表示手段と、
　カウント表示を歩進させるよう該表示手段を制御する表示制御手段、
を有することを特徴とするスチルビデオカメラの表示装置」
　 (2)　相違点
　　　ア　上記「スチルビデオカメラの表示装置」が、本願発明においては「一つの記録媒体へのデータ書き込み中であることを表す表示を行なう書き込み表示手段」を備えているのに対して、刊行物１の発明においては備えていない点
　　　イ　上記「表示制御手段」が、本願発明においては「一つの記録媒体へのデータ書き込み終了時」にカウント表示を歩進させるように制御するのに対して、刊行物１の発明においては、カウント表示の歩進が「一つの記録媒体へのデータ書き込み終了時」であることが明記されていない点
　
　３　相違点についての検討
　 (1)　相違点アについての検討
　　　刊行物２には、ＩＣメモリカードが書込み動作の場合に、動作中の表示を人間の目で確認できるように発光ダイオードによって行うことが記載されているから、同様なメモリカードを用いる刊行物１の発明の電子カメラにおいて、メモリカードへのデータ書き込み中であることを表す発光ダイオードを設けることは、当業者であれば、適宜なし得ることである。なお、その際に、発光ダイオードの点灯制御をコントロール系３で行わせることは、刊行物１の発明の電子カメラがコントロール系３によって制御されることからみて、自明なことである。
　　　したがって、「スチルビデオカメラの表示装置」に「一つの記録媒体へのデータ書き込み中であることを表す表示を行なう書き込み表示手段」を備えさせることは、当業者であれば、適宜なし得ることである。
　 (2)　相違点イについての検討
　　　刊行物１の発明においては、カウント表示を歩進させる点について、具体的な記載はないが、上記１の(2)でも対比検討したように、刊行物１には、電子カメラが記載され、そのカメラにおいて、メモリカードの７に記憶されている撮影済枚数または撮影可能枚数を容易に知ることができ、容易に知った後に被写体像を撮影した場合に、撮影済枚数または撮影可能枚数を更新して表示することは明記されていないが、電子カメラである以上、何らかの手段、例えば、電子カメラ全体を制御するコントロール系３によって、更新（歩進）させて表示させることは、ごく普通に採用されることである。
　　　そして、更新（歩進）させて表示させる場合において、刊行物１の発明において、コントロール系３が、シャッタボタン２が操作されて直ちに更新させるか、メモリカード７に静止画像信号又は記憶済表示データが書込まれた後に更新させるか、設計的な事項といえるが、一般的には、直ちに更新させるよりも書込まれた後に更新させるのが撮影されたという点で確実であるところ、刊行物１の発明においては書込み終了パルスが用いられているから、このパルスを利用することによって、静止画像信号が書込まれた後に更新することは、当業者であれば、必要に応じて、適宜なし得ることである。
　　　したがって、「表示制御手段」が「一つの記録媒体へのデータ書き込み終了時」にカウント表示を歩進させるように制御することは、当業者であれば、必要に応じて、適宜なし得ることである。
　
第４　むすび
　以上、本願発明は、刊行物１の発明に基いて、当業者が容易に発明をすることができたものであるから、特許法２９条２項の規定により特許を受けることができない。
　したがって、他の請求項２ないし６について検討するまでもなく、本願は拒絶すべきものである。
　よって、結論のとおり審決する。